(57)【要約】  【課題】  機器に横揺れや縦揺れが生じて機器の内部構造や内部回路が破損し、また、ＤＩＮレールを保持する係合手段の係合爪部及びスライダロック部材の係合爪部等のＤＩＮレール取付部分の破損を招く。  【解決手段】  電源機器２の機器本体２Ａの背面部２ａであるＤＩＮレール取付面部に、電源機器２に振動が加わった場合にＤＩＮレール１に干渉して振動を吸収する振動吸収部を設け、この振動吸収部が、ＤＩＮレール１側に突出し且つＤＩＮレール取付面部に対して両持ち形状であって弾性が付与された突起部１５で構成してあり、この突起部１５の頂部が、ＤＩＮレール１の係合片部１Ｃに干渉する干渉部１５ａにしてある。【選択図】  図２
2005064114.tif 000002
【特許請求の範囲】
【請求項１】
機器のＤＩＮレール取付け面部に、ＤＩＮレールに係脱可能に係合するレール係合手段を設けて、このレール係合手段により前記機器を前記ＤＩＮレールに取り付けるようにしたＤＩＮレ一ル取付け構造であって、
前記ＤＩＮレール取付け面部に、前記機器に振動が加わった場合に前記ＤＩＮレールに干渉して前記振動を吸収する振動吸収部を設けて構成したことを特徴とするＤＩＮレ一ル取付け構造。
【請求項２】
前記振動吸収部は、前記ＤＩＮレール取付け面部における前記レール係合手段の少なくとも一側部位に設けてあることを特徴とする請求項１に記載のＤＩＮレ一ル取付け構造。
【請求項３】
前記振動吸収部は、前記ＤＩＮレール側に突出するように、前記ＤＩＮレール取付け面に形成した突起部で構成したことを特徴とする請求項３に記載のＤＩＮレール取付け構造。
【請求項４】
前記突起部は、前記ＤＩＮレール取付け面部に対して両持ち形状に形成して弾性が付与された突起部であり、この突起部の頂部が、前記ＤＩＮレールに干渉する干渉部にしてあることを特徴とする請求項３に記載のＤＩＮレ一ル取付け構造。
【請求項５】
前記突起部は、前記ＤＩＮレール取付面部に対して片持ち形状であって弾性が付与された突起部であり、この突起部の端部が、前記係合片部に干渉する干渉部にしてあることを特徴とする請求項３に記載のＤＩＮレ一ル取付け構造。
【請求項６】
前記レール係合手段は、予めその巾寸法を想定される最大幅の寸法に形成しておき、各種形状の機器による前記ＤＩＮレール取付け面の幅寸法に合せて不要部分を切取ることによって構成したことを特徴とする請求項１記載のＤＩＮレール取付け構造。
【発明の詳細な説明】
【技術分野】
【０００１】
本発明は、スイッチング電源装置或いはプログラマブルコントロールユニット等の機器をＤＩＮレールに取り付けるためのＤＩＮレ一ル取付け構造に関する。
【背景技術】
【０００２】
従来のＤＩＮレ一ル取付け構造を図１０乃至図１３に示す。
【０００３】
この従来のＤＩＮレ一ル取付け構造は、機器、例えば電源機器３０の筐体３０Ａの背面部３０Ｂに装着されたレール係合装置３１を備えており、レール係合装置３１のプレート本体３１Ａには、横方向に沿う係合凹部３２が形成してあり、係合凹部３２の、図１０において上側の辺部には係合爪部３３が形成してある。また、プレート本体３１Ａには、その下側部に係合凹部３２に直交するようにしてスライダロック用溝部３４が形成してある。
【０００４】
そして、スライダロック用溝部３４には、スライダロック部材３５がばね部材３６により上方向に付勢された状態で摺動可能に設けてあり、このスライダロック部材３５の先端部に設けた係合爪部３７が係合凹部３２内に突入している。
【０００５】
そして、電源機器３０を手で持って、レール係合装置３１の係合爪部３３をＤＩＮレール４０の上側の係合片部４０Ｂに引っ掛けた状態で、電源機器３０をＤＩＮレール４０側に移動して、スライダロック部材３５の係合爪部３７をＤＩＮレール４０の下側の係合片部４０Ｃに押し付けることにより、この押付力の、係合爪部３７の斜面部３７ａで生じる分力で、ばね部材３６のばね力に抗してスライダロック部材３５を下方に移動させ、ＤＩＮレール４０を係合凹部３２に挿入し、ばね部材３６のばね力でスライダロック部材３５を上方に移動させて、係合爪部３７を係合片部４０Ｃに係合させることで、電源機器３０がＤＩＮレール４０に取付けてある。
【０００６】
この場合、レール係合装置３１の幅は、電源機器３０の筐体３０Ａの背面部３０Ｂの幅より狭いために、図１１に示すようにレール係合装置３１の左、右方では背面部３０ＢとＤＩＮレール４０の上、下側の係合片部４０Ｂ、４０Ｃとの間には隙間ｔが生じている。
【０００７】
また、従来のＤＩＮレ一ル取付け構造としては、ビルディングブロック構造のプログラマブルコントローラ用ユニットのスライダロック装置がある。このスライダロック装置は、ユニット本体の背面部に、係合凹部とスライダロック用溝部とを設け、このスライダロック用溝部に、スライダロック部材を移動可能に設けると共に、スライダロック部材を係合凹部側に保持するカム機構を設けて、係合凹部に係合されたＤＩＮレールを、係合凹部の係合爪部とスライダロック部材の係合爪部とで挟むようにしたものである（特許文献１参照）
【特許文献１】特開平６−２３０８０７号公報
【発明の開示】
【発明が解決しようとする課題】
【０００８】
しかしながら、従来の前者のＤＩＮレ一ル取付け構造にあっては、レール取付け装置３１の幅が、電源機器３０の筐体３０Ａの背面部３０Ｂの幅より狭くしてあることにより、レール係合装置３１の左、右方では背面部３０ＢとＤＩＮレール４０の上、下側の係合片部４０Ｂ、４０Ｃとの間には隙間ｔが生じている。このために、電源機器３０の左、右端部を前後方向に動かす力が加わって、横揺れが生じた場合には、隙間ｔ分だけ横揺れが増幅されて、電源機器３０の内部構造や内部回路が破損し、また、ＤＩＮレール４０を挟んでいるレール係合装置３１の係合爪部３３及びスライダロック部材３５の係合爪部３７等のＤＩＮレール取付け部分の破損を招くという問題点があった。
【０００９】
また、図１３に示すように、レール係合装置３１の幅寸法Bを、電源機器３０の筐体３０Ａの背面部３０Ｂの幅と同じにして上記した隙間ｔが生じないようにした場合には、その機器毎にレール係合装置３１を設計しなければならず、標準化、省資源化を妨げ、コストアップになるという問題点があった。
【００１０】
また、従来の後者のＤＩＮレ一ル取付け構造にあっては、ユニット本体の背面部に、係合凹部とスライダロック用溝部とスライダロック部材とカム機構とからなるレール係合部が直接に設けてあるために、その機器毎に、ユニット本体の背面部にレール係合部を設計しなければならず、標準化、省資源化を妨げ、コストアップになるという問題点があった。
【００１１】
本発明は、上記した従来の問題点に着目して成されたものであって、その目的とするところは、機器の背面部幅より狭い巾寸法を荷設定形成されたレール係合装置を使用しても、振動による機器の内部構造や内部回路の破損、振動によるレール係合手段の破損を未然に防ぐことができるＤＩＮレ一ル取付け構造を提供することである。
【課題を解決するための手段】
【００１２】
上記の目的を達成するために、本発明に係るＤＩＮレ一ル取付け構造は、機器のＤＩＮレール取付け面部に、ＤＩＮレールに係脱可能に係合するレール係合手段を設けて、このレール係合手段により機器をＤＩＮレールに取り付ける場合に、ＤＩＮレール取付け面部に、機器に振動が加わった場合にＤＩＮレールに干渉して振動を吸収する振動吸収部を設けて構成したものである。
【００１３】
かかる構成により、ＤＩＮレールにレール係合手段を介して機器を取付け、この機器に振動が加わって、例えば機器が横揺れや縦揺れを生じた場合、振動吸収部がＤＩＮレールに干渉してこれらの横揺れや縦揺れを早い段階で吸収することができる。このために、振動による機器の内部構造や内部回路の破損、振動によるレール係合手段の破損を未然に防ぐことができると共に、レール係合手段の標準化を果たすことができる。
【００１４】
また、本発明に係るＤＩＮレ一ル取付け構造は、上記した本発明に係るＤＩＮレ一ル取付け構造において、振動吸収部が、ＤＩＮレール取付け面部におけるレール係合手段の少なくとも一側部位に設けてある。
【００１５】
かかる構成により、ＤＩＮレールにレール係合手段を介して機器を取付け、この機器に振動が加わって、機器が横揺れや縦揺れを生じた場合、振動吸収部がＤＩＮレールに干渉して、これらの横揺れや縦揺れを早い段階で吸収することができて、振動による機器の内部構造や内部回路の破損、振動によるレール係合手段の破損を未然に防ぐことができる。
【００１６】
また、本発明に係るＤＩＮレ一ル取付け構造は、上記した本発明に係るＤＩＮレ一ル取付け構造において、振動吸収部が、ＤＩＮレール側に突出するように、ＤＩＮレール取付け面に形成した突起部により構成している。
【００１７】
かかる構成により、ＤＩＮレールにレール係合手段を介して機器を取付け、この機器に振動が加わって、機器が横揺れや縦揺れを生じた場合、突起部の干渉部がＤＩＮレールの係合片部に干渉することで突起部の弾性で横揺れや縦揺れをより確実に吸収することができて、振動による機器の内部構造や内部回路の破損、振動によるレール係合手段の破損を未然に防ぐことができると共に、突起部により構成する振動吸収部を機器筐体の成形時に同時に形成することができる。
【００１８】
又、本発明に係るＤＩＮレール取付け構造は、上記した本発明に係るＤＩＮレ一ル取付け構造において、突起部がＤＩＮレール取付け面部に対して両持ち形状に形成して弾性が付与された突起部であり、この突起部の頂部がＤＩＮレールに干渉する干渉部に構成している。
【００１９】
かかる構成により、ＤＩＮレールにレール係合手段を介して機器を取付け、この機器に振動が加わって、機器が横揺れや縦揺れを生じた場合、突起部の干渉部がＤＩＮレールの係合片部に干渉することで突起部の弾性で横揺れや縦揺れをより確実に吸収することができて、振動による機器の内部構造や内部回路の破損、振動によるレール係合手段の破損を未然に防ぐことができる。
【００２０】
また、本発明に係るＤＩＮレ一ル取付け構造は、上記した本発明に係るＤＩＮレ一ル取付け構造において、突起部が、ＤＩＮレール取付け面部に対して片持ち形状であって弾性が付与された突起部であり、この突起部の端部が、係合片部に干渉する干渉部に構成してある。
【００２１】
かかる構成により、ＤＩＮレールにレール係合手段を介して機器を取付け、この機器に振動が加わって、機器が横揺れや縦揺れを生じた場合、突起部の片持状の干渉部がＤＩＮレールの係合片部に干渉することで突起部の弾性で横揺れや縦揺れをより確実に吸収することができて、振動による機器の内部構造や内部回路の破損、振動によるレール係合手段の破損を未然に防ぐことができる。
【００２２】
また、本発明に係るＤＩＮレ一ル取付け構造は、上記した本発明に係るＤＩＮレ一ル取付け構造において、レール係合手段が、予めその巾寸法を想定される最大幅の寸法に形成しておき、各種形状の機器によるＤＩＮレール取付け面の幅寸法に合せて不要部分を切取ることによって構成してある。
【００２３】
かかる構成により、レール係合手段は、予めその幅寸法を想定される最大幅の寸法で設計しておき、そして、幅寸法の違うそれぞれの機器のＤＩＮレール取付け面部に合わせて、プレート本体の両側部の不要部分を切り取り、このレール係合手段をＤＩＮレール取付け面部に装着することで、一つのレール係合手段でそれぞれに合ったＤＩＮレ一ル取付け構造を得ることができる。
【００２４】
また、予め切り取る、プレート本体の幅が分かっている場合には、切り取り易くするために、マーキング、又は溝等により切り取り位置を示したり、簡単に切り取れるようにすることも可能である。また、このことで部品を一種類に集約でき、在庫、コストの低減が図れる。
【発明の効果】
【００２５】
本発明に係るＤＩＮレール取付け構造によれば、ＤＩＮレールにレール係合手段を介して機器を取付け、この機器に振動が加わって、例えば機器が横揺れや縦揺れを生じた場合、振動吸収部がＤＩＮレールに干渉してこれらの横揺れや縦揺れを早い段階で吸収することができる。このために、振動による機器の内部構造や内部回路の破損、振動によるレール係合手段の破損を未然に防ぐことができると共に、レール係合手段の標準化を果たすことができる。
【発明を実施するための最良の形態】
【００２６】
以下、本発明の実施の形態を図面に基づいて説明する。
【００２７】
（実施の形態１）
本発明に係るＤＩＮレール取付け構造の実施の形態１を図１乃至図３に示す。なお、説明の便宜上、前後方向、上下方向及び左右方向を図示のように設定する。
【００２８】
図１及び図２において、１はＤＩＮレールであり、２は、このＤＩＮレール１に係脱可能に且つ摺動可能に取付けられる電源機器（ＤＩＮレール１に取付け可能な機器）である。
【００２９】
ＤＩＮレール１は、レール本体１Ａの両辺部（上、下辺部）に係合片部１Ｂ、１Ｃを形成して構成してある。
【００３０】
電源機器２は筐体２Ａを有しており、この筐体２ＡのＤＩＮレール取付け面部である背面部２ａには、その横方向の中央部がレール係合装置装着部３にしてあり、レール係合装置装着部３には、上、下部に取付け用ねじ孔４ａ、４ｂが形成してある。
【００３１】
レール係合装置装着部３には取付け用ねじ孔４ａ、４ｂを用いてレール係合手段であるレール係合装置５が装着してある。すなわち、レール係合装置５はプレート本体５Ａを有しており、プレート本体５Ａには、上下方向の略中央部に、左右方向（横方向）に沿う係合凹部６が形成してあり、係合凹部６の上側の辺部には係合爪部７が形成してある。
【００３２】
また、プレート本体５Ａには、その上側にねじ用孔８が設けてあるし、プレート本体５Ａには、その下側に係合凹部６に直交するようにしてスライダロック用溝部９が形成してある。
【００３３】
スライダロック用溝部９にはねじ用孔１０が形成してある。
【００３４】
そして、スライドロック用溝部９には、スライドロック部材１１がばね部材１２により上方向に付勢された状態で摺動可能に設けてあり、スライドロック部材１１の先端部の係合爪部１３が係合凹部６内に突入している。
【００３５】
係合爪部１３は、その表面が斜面部１３ａにしてある。
【００３６】
また、スライドロック部材１１には開口部１４が形成してあり、この開口部１４内にねじ用孔１０が位置している。
【００３７】
そして、レール係合装置５は、ねじ用孔８、１０に挿入したねじ部材１７、１８を取付け用ねじ孔４ａ、４ｂに螺合することでレール係合装置装着部３に取付けてある。
【００３８】
また、筐体２Ａの背面部２ａには、レール係合装置装着部３を中央にして左、右に位置させて一対の振動吸収部である突起部１５が形成してある。
【００３９】
これらの突起部１５は、筐体２Ａの背面部２ａを構成する板材２ｂを台形形状に打ち出して形成してあり、突起部１５の頂部は平坦な干渉部１５ａにしてある。
【００４０】
そして、突起部１５には、両持ち形状にすることで弾性が付与されている。
【００４１】
なお、突起部１５の高さ寸法は、電源機器２のＤＩＮレール１への取付け時に、突起部１５がＤＩＮレール１の係合片部１Ｃに干渉することがないように、背面部２aとＤＩＮレール１の係合片部１Ｃとの間隔よりわずかに低く設定してある。
【００４２】
一対の突起部１５の形成位置は、ＤＩＮレール１にレール係合装置５が係合した際に、突起部１５の干渉部１５ａがＤＩＮレール１の下側の係合片部１Ｃに対向する所である。
【００４３】
そして、電源機器２を手で持って、レール係合装置５の係合爪部７をＤＩＮレール１の係合片部１Ｂに引っ掛けた状態で、電源機器２をＤＩＮレール１側に移動して、スライドロック部材１１の係合爪部１３をＤＩＮレール１の係合片部１Ｃに押し付けることにより、この押付力の、係合爪部１３の斜面部１３ａで生じる分力で、ばね部材１２のばね力に抗してスライドロック部材１１を下方に移動し、ＤＩＮレール１を係合凹部６に係合し、ばね部材１２のばね力でスライドロック部材１１を上方に移動して、係合爪部１３を係合片部１Ｃに係合することで電源機器２がＤＩＮレール１に取付けてある。
【００４４】
このようにして、電源機器２をＤＩＮレール１に取付けた状態では、一対の突起部１５の平坦な干渉部１５ａとＤＩＮレール１の下側の係合片部１Ｃとの間には僅かな隙間が存在する。
【００４５】
そして、電源機器２の左、右端部を前後方向に動かす振動が加わって、横揺れを生じた場合には、一対の突起部１５の干渉部１５ａがＤＩＮレール１の下側の係合片部１Ｃに干渉して、この横揺れを早い段階で吸収する。
【００４６】
また、電源機器２の下部を前後方向に動かす振動が加わって、縦揺れを生じた場合には、一対の突起部１５の干渉部１５ａがＤＩＮレール１の下側の係合片部１Ｃに干渉して、この縦揺れを早い段階で吸収する。
【００４７】
また、レール係合装置５は、予め幅寸法を想定される最大幅の寸法で設計しておき、そして、幅寸法の違うそれぞれの電源機器２の筐体２Ａに合わせて、プレート本体５Ａの両側部の不要部分を切り取り、レール係合装置５を、上記したようにプレート本体５Ａのレール係合装置装着部３に装着することで、一つのレール係合装置５でそれぞれに合ったＤＩＮレール取付け構造を得ることができる。
【００４８】
また、予め切り取るプレート本体５Ａの幅が分かっている場合には、切り取り易くするために、マーキング、又は溝等により切り取り位置を示したり、簡単に切り取れるようにすることも可能である。また、このことで部品を一種類に集約でき、在庫、コストの低減が図れる。
【００４９】
上記したように、本発明の実施の形態１によれば、ＤＩＮレール１にレール係合装置５を介して電源機器２を取付け、この電源機器２に振動が加わって横揺れや縦揺れを生じた場合、突起部１５の干渉部１５ａがＤＩＮレール１の下側の係合片部１Ｃに干渉することで、突起部１５の弾性で横揺れや縦揺れを吸収することができて、振動による電源機器２の内部構造や内部回路の破損、振動によるレール係合装置５の破損を未然に防ぐことができると共に、レール係合装置５の幅寸法を同一にして標準化を図ることができる。
【００５０】
（実施の形態２）
本発明に係るＤＩＮレール取付け構造の実施の形態２を図４及び図５に示す。
【００５１】
この本発明の実施の形態２では、筐体２Ａの背面部２ａのレール係合装置装着部３を中にした左、右方の部位に、上下二対の振動吸収部である突起部１５−１が形成してある。
【００５２】
これらの突起部１５−１は、上記した本発明の実施の形態１における突起部１５と同じ構成である。
【００５３】
そして、上側の一対の突起部１５−１の位置は、ＤＩＮレール１にレール係合装置５が係合した際に、突起部１５−１の干渉部１５ａがＤＩＮレール１の上側の係合片部１Ｂに対向する所である。
【００５４】
下側の一対の突起部１５−１の位置は、ＤＩＮレール１にレール係合装置５が係合した際に、突起部１５−１の干渉部１５ａがＤＩＮレール１の下側の係合片部１Ｃに対向する所である。
【００５５】
なお、いずれの突起部１５−１の高さ寸法は、電源機器２のＤＩＮレール１への取付け時に、突起部１５−１がＤＩＮレール１の上、下側の係合片部１Ｂ、１Ｃに干渉することがないように、この背面部２ａとＤＩＮレール１の上、下側の係合片部１Ｂ、１Ｃとの間隔よりわずかに低く設定してある。
【００５６】
また、本発明の実施の形態２の他の構成は、上記した本発明の実施の形態１における構成と同じである。したがって、同じ符号を付して説明を省略する。
【００５７】
本発明の実施の形態２では、本発明の実施の形態１の場合と同様にして電源機器２をＤＩＮレール１に取付けた状態では、突起部１５−１の平坦な干渉部１５ａと上、下側の係合片部１Ｂ、１Ｃとの間には僅かな隙間が存在する。
【００５８】
そして、電源機器２の左、右端部を前後方向に動かす振動が加わって、横揺れを生じた場合には、上下二対の突起部１５−１の干渉部１５ａがＤＩＮレール１の上、下側の係合片部１Ｂ、１Ｃに干渉して、この横揺れを早い段階で吸収する。
【００５９】
また、電源機器２の下部を前後方向に動かす振動が加わって、縦揺れを生じた場合には、上下二対の突起部１５−１の干渉部１５ａがＤＩＮレール１の上、下側の係合片部１Ｂ、１Ｃに干渉して、この縦揺れを早い段階で吸収する。
【００６０】
また、電源機器２の上部を前後方向に動かす振動が加わって、縦揺れを生じた場合には、上下二対の突起部１５−１の干渉部１５ａがＤＩＮレール１の上、下側の係合片部１Ｂ、１Ｃに干渉して、この縦揺れを早い段階で吸収する。
【００６１】
また、レール係合装置５は、予めその幅寸法を想定される最大幅の寸法で設計しておき、そして、幅寸法の違うそれぞれの電源機器２の筐体２Ａに合わせて、プレート本体５Ａの両側部の不要部分を切り取り、このレール係合装置５を、上記したようにプレート本体５Ａのレール係合装置装着部２に装着することで、一つのレール係合装置５でそれぞれに合ったＤＩＮレール取付け構造を得ることができると共に、レール係合装置５の幅寸法を同一にして標準化を図ることができる。
【００６２】
また、予め切り取る、プレート本体５Ａの幅が分かっている場合には、切り取り易くするために、マーキング、又は溝等により切り取り位置を示したり、簡単に切り取れるようにすることも可能である。また、このことで部品を一種類に集約でき、在庫、コストの低減が図れる。
【００６３】
上記したように、本発明の実施の形態２によれば、ＤＩＮレール１にレール係合装置５を介して電源機器２を取り付け、この電源機器２に振動が加わって横揺れや縦揺れを生じた場合、上下二対の突起部１５−１の干渉部１５ａがＤＩＮレール１の上、下側の係合片部１Ｂ、１Ｃに干渉することで、突起部１５−１の弾性で横揺れや縦揺れを吸収することができて、振動による電源機器２の内部構造や内部回路の破損、振動によるレール係合装置５の破損を未然に防ぐことができると共に、レール係合装置５の幅寸法を同一にして標準化を図ることができる。
【００６４】
（実施の形態３）
本発明に係るＤＩＮレール取付け構造の実施の形態３を図６及び図７に示す。
【００６５】
この本発明の実施の形態３では、筐体２Ａの背面部２ａのレール係合装置装着部３を中にした左、右方の部位に、一対の振動吸収部である突起部１５−２が形成してある。
【００６６】
突起部１５−２は、筐体２Ａの背面部２ａに対して片持ち形状であって側面Ｌ字形状にしてあり弾性が付与されている。そして、その端部が、背面部２ａに平行な干渉部１５ａにしてある。
【００６７】
そして、一対の突起部１５−２の位置は、ＤＩＮレール１にレール係合装置５が係合した際に、突起部１５−２の干渉部１５ａがＤＩＮレール１の下側の係合片部１Ｃに対向する所である。
【００６８】
なお、これらの突起部１５−２の高さ寸法は、電源機器２のＤＩＮレール１への取付け時に、突起部１５−２の干渉部１５ａがＤＩＮレール１の下側の係合片部１Ｃに干渉することがないように、この背面部２ＡとＤＩＮレール１の下側の係合片部１Ｃとの間隔よりわずかに低く設定してある。
【００６９】
また、本発明の実施の形態３の他の構成は、上記した本発明の実施の形態１における構成と同じである。したがって、同じ符号を付して説明を省略する。
【００７０】
上記のように構成された本発明の実施の形態３のＤＩＮレール取付け構造では、本発明の実施の形態１の場合と同様にして電源機器２をＤＩＮレール１に取付けた状態では、一対の突起部１５−２の干渉部１５ａと下側の係合片部１Ｃとの間には僅かな隙間が存在する。
【００７１】
そして、電源機器２の左、右端部を前後方向に動かす振動が加わって、横揺れが生じた場合には、一対の突起部１５−２の干渉部１５ａがＤＩＮレール１の下側の係合片部１Ｃに干渉してこの横揺れを早い段階で吸収する。
【００７２】
また、電源機器２の下部を前後方向に動かす振動が加わって、縦揺れが生じた場合には、一対の突起部１５−２の干渉部１５ａがＤＩＮレール１の下側の係合片部１Ｃに干渉して、この縦揺れを早い段階で吸収する。
【００７３】
また、レール係合装置５は、予めその幅寸法を想定される最大幅の寸法で設計しておき、そして、幅寸法の違うそれぞれの電源機器２の筐体２Ａに合わせて、プレート本体５Ａの両側部の不要部分を切り取り、このレール係合装置５を、上記したようにプレート本体５Ａのレール係合装置装着部２に装着することで、一つのレール係合装置５でそれぞれに合ったＤＩＮレール取付け構造を得ることができると共に、レール係合装置５の幅寸法を同一にして標準化を図ることができる。
【００７４】
また、予め切り取る、プレート本体５Ａの幅が分かっている場合には、切り取り易くするために、マーキング、又は溝等により切り取り位置を示したり、簡単に切り取れるようにすることも可能である。また、このことで部品を一種類に集約でき、在庫、コストの低減が図れる。
【００７５】
上記したように、本発明の実施の形態３によれば、ＤＩＮレール１にレール係合装置５を介して電源機器２を取付け、この電源機器２に振動が加わって横揺れや縦揺れを生じた場合、突起部１５−２の干渉部１５ａがＤＩＮレール１の下側の係合片部１Ｃに干渉することで、突起部１５の弾性で横揺れや縦揺れを吸収することができて、振動による電源機器２の内部構造や内部回路の破損、振動によるレール係合装置５の破損を未然に防ぐことができる。
【００７６】
（実施の形態４）
本発明に係るＤＩＮレール取付け構造の実施の形態４を図８及び図９に示す。
【００７７】
この本発明の実施の形態４では、筐体２Ａの背面部２ａのレール係合装置装着部３を中にした左、右方の部位に、二対の振動吸収部である突起部１５−３が形成してある。これらの突起部１５−３は、上記した本発明の実施の形態３における突起部１５−２と同じ構成であり、筐体２Ａの背面部２ａに対して片持ち形状であって側面Ｌ字形状をしており、その端部が、背面部２ａに平行な干渉部１５ａにしてある。
【００７８】
そして、上側の一対の突起部１５−３の位置は、ＤＩＮレール１にレール係合装置５が係合した際に、突起部１５−３の干渉部１５ａがＤＩＮレール１の上側の係合片部１Ｂに対向する所であり、下側の一対の突起部１５−３の位置は、ＤＩＮレール１にレール係合装置５が係合した際に、突起部１５−３の干渉部１５ａがＤＩＮレール１の下側の係合片部１Ｃに対向する所である。
【００７９】
また、いずれの突起部１５−３の高さ寸法は、電源機器２のＤＩＮレール１への取付け時に、突起部１５−３の干渉面部１５ａがＤＩＮレール１の上、下側の係合片部１Ｂ、１Ｃに干渉することがないように、この背面部２ＡとＤＩＮレール１の上、下側の係合片部１Ｂ、１Ｃとの間隔よりわずかに低く設定してある。
【００８０】
なお、本発明の実施の形態４の他の構成は、上記した本発明の実施の形態１における構成と同じである。したがって、同じ符号を付して説明を省略する。
【００８１】
上記のように構成された本発明の実施の形態４のＤＩＮレール取付け構造では、本発明の実施の形態１の場合と同様にして電源機器２をＤＩＮレール１に取付けた状態では、突起部１５−３の平坦な干渉部１５ａと上、下側の係合片部１Ｂ、１Ｃとの間には僅かな隙間が存在する。
【００８２】
そして、電源機器２の左、右端部を前後方向に動かす振動が加わって、横揺れが生じた場合には、上下二対の突起部１５−３の干渉部１５ａがＤＩＮレール１の上、下側の係合片部１Ｂ、１Ｃに干渉してこの横揺れを早い段階で吸収する。
【００８３】
また、電源機器２の下部を前後方向に動かす振動が加わって、縦揺れが生じた場合には、上下二対の突起部１５−３の干渉部１５ａがＤＩＮレール１の上、下側の係合片部１Ｂ、１Ｃに干渉して、この縦揺れを早い段階で吸収する。
【００８４】
また、電源機器２の上部を前後方向に動かす振動が加わって、縦揺れが生じた場合には、上下二対の突起部１５−３の干渉部１５ａがＤＩＮレール１の上、下側の係合片部１Ｂ、１Ｃに干渉して、この縦揺れを早い段階で吸収する。
【００８５】
また、レール係合装置５は、予めその幅寸法を想定される最大幅の寸法で設計しておき、そして、幅寸法の違うそれぞれの電源機器２の筐体２Ａに合わせて、プレート本体５Ａの両側部の不要部分を切り取り、このレール係合装置５を、上記したようにプレート本体５Ａのレール係合装置装着部２に装着することで、一つのレール係合装置５でそれぞれに合った取付け構造を得ることができる。
【００８６】
また、予め切り取る、プレート本体５Ａの幅が分かっている場合には、切り取り易くするために、マーキング、又は溝等により切り取り位置を示したり、簡単に切り取れるようにすることも可能である。また、このことで部品を一種類に集約でき、在庫、コストの低減が図れる。
【００８７】
上記したように、本発明の実施の形態４によれば、ＤＩＮレール１にレール係合装置５を介して電源機器２を取り付け、この電源機器２に振動が加わって横揺れや縦揺れを生じた場合、突起部１５−３の干渉部１５ａがＤＩＮレール１の上、下側の係合片部１Ｂ、１Ｃに干渉することで、突起部１５−３の弾性で横揺れや縦揺れを吸収することができて、振動による電源機器２の内部構造や内部回路の破損、振動によるレール係合装置５の破損を未然に防ぐことができる。
【産業上の利用可能性】
【００８８】
本発明に係るＤＩＮレール取付け構造は、ＤＩＮレールにレール係合手段を介して機器を取付け、この機器に振動が加わって、機器が横揺れや縦揺れを生じた場合、振動吸収部がＤＩＮレールに干渉して、この横揺れや縦揺れを早い段階で吸収することができて、振動による機器の内部構造や内部回路の破損、振動によるレール係合手段の破損を未然に防ぐことができるとともに、レール係合装置５の幅寸法を同一にして標準化を図ることができることから、スイッチング電源装置、その他のＤＩＮレールに取付け可能な機器（例えば、プログラマブルコントローラユニット等）をＤＩＮレールに取り付けるためのＤＩＮレ一ル取付け構造に有用である。
【図面の簡単な説明】
【００８９】
【図１】本発明に係るＤＩＮレール取付け構造（実施の形態１）によりＤＩＮレールに取り付けられた電源機器の斜視図である。
【図２】同ＤＩＮレール取付け構造の実施の形態１の斜視図である。
【図３】図２のＵ−Ｕ線に沿う断面図である。
【図４】本発明に係るＤＩＮレール取付け構造の実施の形態２の斜視図である。
【図５】図４のＶ−Ｖ線に沿う断面図である。
【図６】本発明に係るＤＩＮレール取付け構造の実施の形態３の斜視図である。
【図７】図６のＷ−Ｗ線に沿う断面図である。
【図８】本発明に係るＤＩＮレール取付け構造の実施の形態４の斜視図である。
【図９】図８のＸ−Ｘ線に沿う断面図である。
【図１０】従来のＤＩＮレール取付け構造の斜視図である。
【図１１】図１０のＹ−Ｙ線に沿う断面図である。
【図１２】幅が狭いレール係合装置の斜視図である。
【図１３】幅が広いレール係合装置の斜視図である。
【符号の説明】
【００９０】
１        ＤＩＮレール
１Ａ      レール本体
１Ｂ      係合片部
１Ｃ      係合片部
２        電源機器（機器）
２Ａ      筐体
２ａ      背面部（ＤＩＮレール取付け面部）
３        レール係合装置装着部
５        レール係合装置（レール係合手段）
５Ａ      プレート本体
６        係合凹部
７        係合爪部
９        スライダロック用溝部
１１      スライドロック部材
１２      ばね部材
１３      係合爪部
１５      突起部（振動吸収部）
１５−１  突起部（振動吸収部）
１５−２  突起部（振動吸収部）
１５−３  突起部（振動吸収部）
１５ａ    干渉部
【図１】
2005064114.tif 000003
【図２】
2005064114.tif 000004
【図３】
2005064114.tif 000005
【図４】
2005064114.tif 000006
【図５】
2005064114.tif 000007
【図６】
2005064114.tif 000008
【図７】
2005064114.tif 000009
【図８】
2005064114.tif 000010
【図９】
2005064114.tif 000011
【図１０】
2005064114.tif 000012
【図１１】
2005064114.tif 000013
【図１２】
2005064114.tif 000014
【図１３】
2005064114.tif 000015